(57)【要約】【課題】  まぐさを無くすことができるとともに、開口部の開口高さを自由に設定でき、かつ外装材等を段差なく設けることができるスチールハウスにおける開口部の枠体の上部構造を提供する。【解決手段】  左右のたて枠材１１と、これらのたて枠材１１の上端に掛け渡された上枠材１２と、この上枠材１２の下側に間隔をおいてかつ左右のたて枠材１１間に設けられたよこ枠材１３と、上枠材１２とよこ枠材１３との間に設けられた束材１４と、左右のたて枠材１１、上枠材１２、よこ枠材１３および束材１４に渡って、前面および後面の少なくとも一方に設けられた面材１５とからなる。【選択図】      図１
2006077440.tif 000002
【特許請求の範囲】
【請求項１】
左右のたて枠材と、これらのたて枠材の上端に掛け渡された上枠材と、この上枠材の下側に間隔をおいてかつ前記左右のたて枠材間に設けられたよこ枠材と、前記上枠材と前記よこ枠材との間に設けられた束材と、前記左右のたて枠材、前記上枠材、前記よこ枠材および前記束材に渡って、前面および後面の少なくとも一方に設けられた面材とからなることを特徴とするスチールハウスにおける開口部の枠体の上部構造。
【請求項２】
前記面材が薄鋼板と構造用合板からなることを特徴とする請求項１に記載のスチールハウスにおける開口部の枠体の上部構造。
【発明の詳細な説明】
【技術分野】
【０００１】
本発明は、スチールハウスにおける開口部の枠体の上部構造に関する。
【背景技術】
【０００２】
スチールハウスにおいて、窓あるいは出入り口などの壁の開口部の枠体の上部には、従来、まぐさと垂れ壁とが設けられている。まぐさは、開口部において上部荷重を受ける梁の機能を有するものであり、垂れ壁は、開口高さを調整するために、まぐさの下側あるいは上側に設けられる壁である。
【０００３】
図５は、このような開口部の枠体の上部構造の一例を示す図である。
同図に示すように、左右のたて枠材１の上端に溝形鋼からなる上枠材２が掛け渡され、この上枠材２の下側にまぐさ３および垂れ壁４が設けられている。
まぐさ３は、２つのリップ溝形鋼からなる。これらの２つのリップ溝形鋼は、開口部を対向させてかつ少しの間隔をおいて、または開口部を外側にしてウェブを背中合わせにして（図示せず）、左右のたて枠材１の間に配置されており、各リップ溝形鋼の各ウエブがそれぞれ、上枠材２の前後の各フランジにねじにより固定されている。また、各リップ溝形鋼の左右の両端部はそれぞれ、各たて枠材１に固定された溝形鋼からなるまぐさ受け金具５にねじにより固定されている。
【０００４】
垂れ壁４は、溝形鋼からなる２つのよこ枠材６と、リップ溝形鋼からなる複数個の束材７とから構成されている。２つのよこ枠材６は、上下に間隔をおいてかつ開口部を対向させて、左右のたて枠材１の間に配置されており、これらの２つのよこ枠材６の間に束材７が間隔をおいて配置されている。まぐさ３の各リップ溝形鋼の下側の各フランジに、上側のよこ枠材６のウエブがねじにより固定されている。また、各束材７の前後のフランジの上端部および下端部にそれぞれ、上側および下側のよこ枠材６の前後のフランジがねじにより固定されている。また、たて枠材１に接して配置された束材７は、そのウエブがたて枠材１にビスにより固定されている。
左右のたて枠材１、上枠材２、まぐさ３および垂れ壁４に渡って、上部構造の前面には、構造用合板等の面材８が、ビスにより固定されている。
【０００５】
しかしながら、この開口部の枠体の上部構造においては、まぐさ３と垂れ壁４とが設けられているので、これらを製作するために部品数と製作工数が多くなり、部品コストおよび製作コストが高くなるという問題がある。
【０００６】
このため、図６に示すように、断面形状がコ字状のＣ型鋼材からなるまぐさ梁９を用い、開口部を構成する枠体１０の上部にこのまぐさ梁９を嵌め込むようにし、これにより部品数を少なくして、部品コストおよび製作コストを低減することが提案されている（例えば、特許文献１参照）。
【０００７】
しかしながら、この開口部の枠体の上部構造にあっては、図７に示すように、前面および後面において、まぐさ梁９と枠体１０との間に段差があるので、外装材Ｇあるいは内装下地材Ｎなどをねじにより取り付けると、まぐさ梁９のある部分とない部分とで段差が生じるという問題がある。特に、石膏ボードなどの内装下地材Ｎに段差が生じると、ビニールクロス貼りなどの内装材の仕上げ面精度に影響するので大きな問題となる。
【０００８】
一方、特許文献２には、耐力壁パネルの上部に設ける臥梁を薄板軽量形鋼の組み合わせ材や形鋼等で構成し、この臥梁と耐力壁パネルおよび床パネルとの間をボルト接合し、開口部上部のまぐさを設けず臥梁直下まで開口することが記載されている。
しかしながら、このような構成では、臥梁と耐力壁パネル等とをボルト接合する必要があり、組み立てに手間がかかるとともに、開口部の開口高さが臥梁直下までの高さのみの設定となり、開口部の設計が制約されるという問題がある。
【０００９】
【特許文献１】特開２００２−３３９５０３号公報
【特許文献２】特開２００３−１４７８５２号公報
【発明の開示】
【発明が解決しようとする課題】
【００１０】
本発明は、このような事情に鑑みてなされたもので、まぐさを無くすことができるとともに、開口部の開口高さを自由に設定でき、かつ外装材等を段差なく設けることができるスチールハウスにおける開口部の枠体の上部構造を提供することを目的とする。
【課題を解決するための手段】
【００１１】
前記課題を解決するために、請求項１に記載のスチールハウスにおける開口部の枠体の上部構造は、左右のたて枠材と、これらのたて枠材の上端に掛け渡された上枠材と、この上枠材の下側に間隔をおいてかつ前記左右のたて枠材間に設けられたよこ枠材と、前記上枠材と前記よこ枠材との間に設けられた束材と、前記左右のたて枠材、前記上枠材、前記よこ枠材および前記束材に渡って、前面および後面の少なくとも一方に設けられた面材とからなることを特徴とする。
面材としては、構造用合板等を用いることができる。
また、面材を薄鋼板と構造用合板とにより構成するようにしても良い（請求項２）。このようにすると、強度が高まる。薄鋼板は、必要な強度に応じて例えば１ｍｍ前後の厚みのものを選択すれば良い。
【発明の効果】
【００１２】
本発明のスチールハウスにおける開口部の枠体の上部構造によれば、まぐさを設けなくても十分に上部荷重を支持することができるので、部品数と製作工数を少なくすることができ、部品コストおよび製作コストを低減することができる。また、束材の高さを変えることにより、自由に開口部の開口高さを設定することができる。さらに、本発明の開口部の枠体の上部構造の前後面に内装下地材あるいは外装材などを設けても、これらに段差を生じることがない。
【発明を実施するための最良の形態】
【００１３】
以下、図面を参照して本発明の実施の形態を説明する。
本発明の実施の形態に係るスチールハウスにおける開口部の枠体の上部構造は、図１ないし図３に示すように、左右のたて枠材１１と、これらのたて枠材１１の上端に掛け渡された上枠材１２と、この上枠材１２の下側に間隔をおいてかつ左右のたて枠材１１間に設けられたよこ枠材１３と、上枠材１２とよこ枠材１３との間に設けられた複数個の束材１４と、左右のたて枠材１１、上枠材１２、よこ枠材１３および束材１４に渡って、前面に設けられた面材１５から構成されている。
【００１４】
上枠材１２は、溝形鋼からなるものであり、開口部を下側にして、左右のたて枠１１の上端を覆うようにして配置されている。
よこ枠材１３は、上枠材１２と同寸法の溝形鋼からなるものであり、長さが左右のたて枠１１間の寸法に設定されている。このよこ枠材１３は、開口部を上側にして、上枠材１２に対向して配置されている。
【００１５】
複数個の束材１４はともに、同寸法のリップ溝形鋼からなるもので、たて枠材１１に開口部を向けて垂直に配置されている。各束材１４は、上枠材１２内およびよこ枠材１３内にそれぞれ、上端部および下端部が挿入され、上枠材１２およびよこ枠材１３の各ウエブにそれぞれ、束材１４の上端および下端が当接しているとともに、上枠材１２およびよこ枠材１３のフランジの内側にそれぞれ、束材１４のフランジが重なっている。
【００１６】
面材１５は、１つの構造用合板からなるものである。この面材１５を取り付ける固定具としてのねじ（ドリリングタッピンねじ）１６は、この面材１５側からたて枠材１１、上枠材１２のフランジ、よこ枠材１３のフランジおよび束材１４のフランジに打ち込まれ、これによりたて枠１に上枠材１２のフランジを固定するねじ、ならびに、上枠材１２のフランジおよびよこ枠材１３のフランジにそれぞれ各束材１４のフランジを固定するねじを、面材１５を固定するねじ１６が兼用している。打ち込まれたねじ１６のねじ頭は、構造用合板の面材１６に埋まっている。
【００１７】
このように構成されたスチールハウスにおける開口部の枠体の上部構造にあっては、まぐさを設けなくても十分に上部荷重を支持することができるので、部品数と製作工数を少なくすることができ、部品コストおよび製作コストを低減することができる。さらに、束材１４の高さを変えることにより、自由に開口部の開口高さを変えることができる。さらには、この上部構造の前面には面材１５が設けられているので、外装材を設けても、これらに段差を生じない。また、この上部構造の後面は、上枠材１２のフランジとよこ枠材１３のフランジとが同一平面上に位置しているので、内装下地材を設けても、これらに段差を生じない。加えて、たて枠材１に上枠材１２のフランジを固定するねじ、ならびに、上枠材１２のフランジおよびよこ枠材１３のフランジにそれぞれ各束材１４のフランジを固定するねじを、構造用合板の面材１５を固定するねじ１６が兼用しているので、打ち込まれたねじ１６のねじ頭が面材１５に埋まり、出っ張ることがなく、外装材を支障なく取り付けることができる。
【００１８】
なお、各部材を仮止めする場合には、頭の出ない仮止め用のリベットを用いたり、スポット溶接等の方法により、本発明の効果が更に効率良く発揮される。
また、図４に示すように、構造用合板の面材１５に補強用として面材１５の後側に薄鋼板１８を重ねて設けるようにしてもよい。この場合も、前述の実施の形態と同様に、前面および後面にそれぞれ、外装材Ｇおよび内装下地材Ｎを設けても、これらに段差が生じない。
【図面の簡単な説明】
【００１９】
【図１】本発明の実施の形態に係るスチールハウスにおける開口部の枠体の上部構造を示す図であって、要部の斜視図である。
【図２】図１の要部の縦断面図である。
【図３】図１の要部の縦断面図であって、ねじによる固定状態を示す図である。
【図４】本発明の変形例を示す要部の縦断面図である。
【図５】従来のスチールハウスにおける開口部の枠体の上部構造の一例を示す図であって、要部の斜視図である。
【図６】他の従来例を示す分解斜視図である。
【図７】図６の要部の縦断面図である。
【符号の説明】
【００２０】
１１    たて枠材
１２    上枠材
１３    よこ枠材
１４    束材
１５    面材
【図１】
2006077440.tif 000003
【図２】
2006077440.tif 000004
【図３】
2006077440.tif 000005
【図４】
2006077440.tif 000006
【図５】
2006077440.tif 000007
【図６】
2006077440.tif 000008
【図７】
2006077440.tif 000009